(57)【要約】【課題】  ＲＦＩＤ機能を備えた紙幣受領機を提供する。【解決手段】  ＣＰＵのパネル上にＲＦＩＤプリペイドカードを感知する感知部、紙幣を受取る紙幣投入口を設置し、パネル上には押して各種操作を行うボタン部を設置する。ＣＰＵ内にＲＦＩＤプリペイドカード操作とデータ処理を行う制御回路を設置し、ＣＰＵは挿入紙幣を受取り、感知部を利用しＲＦＩＤプリペイドカードを感知し消費を行う。ボタン部と制御回路を通してＲＦＩＤプリペイドカードに対して読出し、書込み、入金、代金引落としを行うことができる。こうして元々は２台を利用しそれぞれ行っていた感知入金、紙幣投入、消費機能は単一のＣＰＵに統合され操作を行うことができ、ＣＰＵの体積は元々の２台の装置より小さいため場所を取らず、空間節減を達成する。【選択図】  図１
2009163381.tif 000002
【特許請求の範囲】
【請求項１】
ＲＦＩＤ機能を備えた紙幣受領機はＲＦＩＤプリペイドカードを感知し使用或いは入金を行う紙幣受領機であって、
該紙幣受領機はＣＰＵの片側にパネルを設置し、しかも該パネル上にはＲＦＩＤプリペイドカード感知を行う感知部と紙幣を受け取り識別を行う紙幣投入口を設置し、該パネル上にはさらに押して操作することができるボタン部と関連情報を表示することができるディスプレーを設置することを特徴とするＲＦＩＤ機能を備えた紙幣受領機。  
【請求項２】
前記パネルの紙幣投入口内には紙幣を通過させることができる通道を設置し、しかも該通道内側のＣＰＵには紙幣を連動し収納或いは返却を行う通道、ローラーを設置することを特徴とする請求項１記載のＲＦＩＤ機能を備えた紙幣受領機。
【請求項３】
前記パネル上には情報音声を発することができる発声部を設置することを特徴とする請求項１記載のＲＦＩＤ機能を備えた紙幣受領機。
【請求項４】
前記ＣＰＵ内にはＲＦＩＤプリペイドカードを操作し、データ処理を行うことができる制御回路を設置し、
該制御回路はデータ処理を行うマイクロプロセッサーを設置し、しかも該マイクロプロセッサーはＲＦＩＤプリペイドカードに対して読み出し、書込み、入金、代金引き落とし、保存、伝送或いは他の操作を行うことができるＲＦＩＤチップを電気的に連接し、
該ＲＦＩＤチップはさらに該パネル上に位置する感知部内側のセンサーに電気的に連接し、
該センサーは非接触式感知を利用し、信号をＲＦＩＤプリペイドカードに伝送し、さらに該マイクロプロセッサーはＣＰＵのパスワード、取り引きデータを保存、取り出すことができるメモリを電気的に連接することを特徴とする請求項１記載のＲＦＩＤ機能を備えた紙幣受領機。
【請求項５】
前記制御回路のマイクロプロセッサーは、システムダウン後に再起動可能なモニタ装置を電気的に連接することを特徴とする請求項４記載のＲＦＩＤ機能を備えた紙幣受領機。
【請求項６】
前記制御回路は取り引き時間を該マイクロプロセッサーに伝送することができる時計を電気的に連接することを特徴とする請求項５記載のＲＦＩＤ機能を備えた紙幣受領機。
【請求項７】
前記制御回路のマイクロプロセッサーは取り引きデータ、時間に対して保存或いは比較対照を行うことができるコンピュータを連接することを特徴とする請求項６記載のＲＦＩＤ機能を備えた紙幣受領機。
【請求項８】
前記ＣＰＵは自動販売機上に設置可能であることを特徴とする請求項１記載のＲＦＩＤ機能を備えた紙幣受領機。
【請求項９】
前記感知部は該紙幣投入口上方に設置することを特徴とする請求項１記載のＲＦＩＤ機能を備えた紙幣受領機。
【請求項１０】
前記ボタン部と該感知部は該ディスプレー及び該紙幣投入口の間に設置することを特徴とする請求項１記載のＲＦＩＤ機能を備えた紙幣受領機。
【請求項１１】
前記ボタン部は該ディスプレーの右側或いは上方に設置することを特徴とする請求項１記載のＲＦＩＤ機能を備えた紙幣受領機。
【請求項１２】
ＲＦＩＤ機能を備えた紙幣受領機はＲＦＩＤプリペイドカードを感知し使用或いは入金を行う紙幣受領機であって、
該紙幣受領機はＣＰＵの片側にパネルを設置し、しかも該パネル下方には紙幣を受け取り、識別することができる紙幣投入口を垂直に延伸し設置し、該紙幣投入口周囲にはＲＦＩＤプリペイドカードに対して感応する感知部を設置し、
該紙幣投入口上方には押して操作することができるボタン部と関連情報を表示することができるディスプレーを設置することを特徴とするＲＦＩＤ機能を備えた紙幣受領機。
【請求項１３】
前記パネルの紙幣投入口内には紙幣を通過させることができる通道を設置し、しかも該通道内側のＣＰＵには紙幣を連動し収納或いは返却を行う通道、ローラーを設置することを特徴とする請求項１２記載のＲＦＩＤ機能を備えた紙幣受領機。
【請求項１４】
前記パネル上には情報音声を発することができる発声部を設置することを特徴とする請求項１２記載のＲＦＩＤ機能を備えた紙幣受領機。
【請求項１５】
前記ＣＰＵ内にはＲＦＩＤプリペイドカードを操作し、データ処理を行うことができる制御回路を設置し、
該制御回路はデータ処理を行うマイクロプロセッサーを設置し、しかも該マイクロプロセッサーはＲＦＩＤプリペイドカードに対して読み出し、書込み、入金、代金引き落とし、保存、伝送或いは他の操作を行うことができるＲＦＩＤチップを電気的に連接し、
該ＲＦＩＤチップはさらに該パネル上に位置する感知部内側のセンサーに電気的に連接し、
該センサーは非接触式感知を利用し、信号をＲＦＩＤプリペイドカードに伝送し、さらに該マイクロプロセッサーはＣＰＵのパスワード、取り引きデータを保存、取り出すことができるメモリを電気的に連接することを特徴とする請求項１２記載のＲＦＩＤ機能を備えた紙幣受領機。
【請求項１６】
前記制御回路のマイクロプロセッサーは、システムダウン後に再起動可能なモニタ装置を電気的に連接することを特徴とする請求項１５記載のＲＦＩＤ機能を備えた紙幣受領機。
【請求項１７】
前記制御回路は取り引き時間を該マイクロプロセッサーに伝送することができる時計を電気的に連接することを特徴とする請求項１６記載のＲＦＩＤ機能を備えた紙幣受領機。
【請求項１８】
前記制御回路のマイクロプロセッサーは取り引きデータ、時間に対して保存或いは比較対照を行うことができるコンピュータを連接することを特徴とする請求項１７記載のＲＦＩＤ機能を備えた紙幣受領機。
【請求項１９】
前記ＣＰＵは自動販売機上に設置可能であることを特徴とする請求項１２記載のＲＦＩＤ機能を備えた紙幣受領機。
【請求項２０】
前記ボタン部は該ディスプレーと該紙幣投入口の間に設置することを特徴とする請求項１２記載のＲＦＩＤ機能を備えた紙幣受領機。
【発明の詳細な説明】
【技術分野】
【０００１】
本発明はＲＦＩＤ機能を備えた紙幣受領機に関し、特にＣＰＵのパネル上に感知部、紙幣投入口、ボタン部を設置し、ＣＰＵ内に制御回路を設置し、単一のＣＰＵは紙幣、ＲＦＩＤプリペイドカードを利用し、消費或いはＲＦＩＤプリペイドカードに対する入金を行うことができ、これによりＣＰＵ体積を縮小し空間節減の目的を達成するＲＦＩＤ機能を備えた紙幣受領機に係る。
【背景技術】
【０００２】
ＲＦＩＤ（Radio Frequency Identification）技術の研究と進歩に従い、日常生活の各場面において使用されていた紙製カード、接触型磁気カードは徐々に非接触式のＲＦＩＤプリペイドカードに取って代わられている。
紙製カードは湿り或いは折れ損壊を生じ易いという欠点があり、磁気カードは接触しなければ感知しないため、磁性物体の干渉を受けデータ損壊の問題も生じ易い。しかも紙製カード或いは磁気カードを使用する時には、先ずカードを取り出し接触感知させる必要があり、極めて不便である。
一方、ＲＦＩＤプリペイドカードはカードリーダーの所定の距離内であれば感知読み取りができるため、ＲＦＩＤプリペイドカードを財布或いはバッグなどから取り出さずに、ＲＦＩＤプリペイドカードの感知読み取りを行うことができ、非常に便利である。このためＲＦＩＤプリペイドカードは広く受け入れられている。
しかし、公共交通機関、商店、或いは他の場所で使用されるＲＦＩＤプリペイドカードは先ず入金する必要があり、さもなくばＲＦＩＤプリペイドカードを利用し交通機関を利用し、或いは物品を購入する等の消費動作を採ることはできない。
一般のバリューチャージャーはＲＦＩＤ感知と紙幣投入の機能を含む。しかもそれは独立したＲＦＩＤ感知装置と紙幣受領機の２つの装置の組合せで構成されるため、バリューチャージャーの体積は膨大である。
都市の発展は人口密集を招き、都市における生活空間はどんどん縮小している。一方、バリューチャージャーの多くは駅、商店、公共の空間などに設置されているが、体積の大きいバリューチャージャーを複数台設置すると、それらは該場所の空間を大量に占拠してしまい、空間が限られた場所では窮屈である。また、所定空間内にしかバリューチャージャーを設置できないとすれば、バリューチャージャーの設置数は大幅に減ってしまい、使用者がＲＦＩＤプリペイドカードに入金しようとする場合に並ばなければならないような状況も発生する。これでは時間の無駄で、また非常に不便である。
さらに、バリューチャージャーのＲＦＩＤ感知装置と紙幣受領機は２つの別々の装置であるため、バリューチャージャーは体積が膨大でコストが高いという欠点がある。しかも体積が膨大であるため、バリューチャージャーは既存の自動販売機内部に設置できない。これによりＲＦＩＤプリペイドカードの使用範囲は制限され、またバリューチャージャーが高価であるため、社会の各位置に普及させることができない。
上記のように公知のバリューチャージャーは、実際の使用時になお多くの問題と欠点があり、これが本発明人と当業界に従事する業者が改善を目指すところである。
【特許文献１】特開２００１−１９５６５７号公報
【発明の開示】
【発明が解決しようとする課題】
【０００３】
本発明は上記公知の欠点に鑑みてなされたもので、紙幣を挿入可能で、或いはＲＦＩＤカードを感知し消費を行うことができ、さらに、ＲＦＩＤプリペイドカードに対して入金可能なＲＦＩＤ機能を備えた紙幣受領機であって、かつ、空間節減ができる小型のＲＦＩＤ機能を備えた紙幣受領機を提供することにある。
【課題を解決するための手段】
【０００４】
上記課題を解決するため、本発明は、下記のＲＦＩＤ機能を備えた紙幣受領機を提供する。
ＣＰＵのパネル上にＲＦＩＤプリペイドカードを感知可能な感知部を設置し、紙幣を受領し識別可能な紙幣投入口と、押して操作を行うことができるボタン部を設置し、さらに該ＣＰＵ内にＲＦＩＤプリペイドカードに対して操作、アクセス可能な制御回路を設置し、これにより紙幣を投入し消費活動を行うことができる他、ＲＦＩＤプリペイドカードを感知し消費活動を行うこともでき、また紙幣を投入しＲＦＩＤプリペイドカードに対して入金作業を行うことができ、こうしてこれまでは２台が別々に処理していた紙幣の受領、感知入金、消費操作が単一のＣＰＵに統合され１台で処理可能となり、
該ＣＰＵの体積は２台の機械より小さいため場所をとらず、体積縮減と空間節約の長所を備え、
さらに該ＣＰＵのパネルには感知部、紙幣投入口、ボタン部を設置し、しかも該パネル上にはディスプレーを設置し、該ＣＰＵ内にはＲＦＩＤプリペイドカードに対して感知入金可能な制御回路を設置するため、単一のＣＰＵで紙幣投入、感知入金、消費操作を行うことができ、別々に上記操作を行っていた公知構造の２台の装置内部に共に設置する必要があった紙幣受領及び鑑定装置、ボタン部、ディスプレーなどは、該ＣＰＵ上で共用され、
これによりＣＰＵが設置する構成部品数を減少させる目的を達成可能である他に、製造コストを低減することもできる。
【発明の効果】
【０００５】
上記のように、本発明のＲＦＩＤ機能を備えた紙幣受領機によれば、ＣＰＵのパネル上に感知部、紙幣投入口、ボタン部を設置し、ＣＰＵ内に制御回路を設置し、単一のＣＰＵは紙幣、ＲＦＩＤプリペイドカードを利用し、消費或いはＲＦＩＤプリペイドカードに対する入金を行うことができ、元々は紙幣受け取りとＲＦＩＤプリペイドカードの感知入金の２台の装置を設置する必要があった空間には１台分だけ良くなり、ＣＰＵの体積は２台の装置より小さいため空間節減が達成でき、ＣＰＵはＲＦＩＤプリペイドカード感知入金と紙幣投入機能を統合することで、体積の縮小することができる。
また、本発明のＣＰＵはＲＦＩＤプリペイドカードの感知入金或いは自動販売機取り引きを行う時、紙幣受け取り、鑑定装置を共用することができるため、ＣＰＵが設置する必要のある構成部品を減少させ、製造コストを低下させることができる。
【発明を実施するための最良の形態】
【０００６】
上記目的と性能を達成するため、本発明が採用する技術手段とその構造について、本発明の最適の実施例を用い、図示を合わせその特徴と機能に対して以下に説明を加える。
本発明の実施例の立体外観図である図１、側面断面図である図７に示すように、本発明ＲＦＩＤ機能を備えた紙幣受領機の構造は、ＣＰＵ３の片側にパネル１を設置する。しかも該パネル１上にはＲＦＩＤ（Radio Frequency Identification）プリペイドカード５と相互に感応する感知部１１と紙幣を受領可能な紙幣投入口１２を設置する。該紙幣投入口１２内側には通道１２１を設置し、該パネル１上には押して操作するボタン部１３、情報を表示するディスプレー１４を設置する。
【０００７】
本発明の実施例のブロックチャートである図２に示すように、制御回路２は該ＣＰＵ３内に設置する。
しかも、該制御回路２はデータ処理を行うことができるマイクロプロセッサー２１を設置し、該マイクロプロセッサー２１にはデータバス２１１、アドレスバス２１２、制御線(マイクロプロセッサー２１とＲＦＩＤチップ２３と間の制御)２１３、データアドレスバス２１４を電気的に連接する。
該マイクロプロセッサー２１はデータバス２１１、アドレスバス２１２、制御線２１３、データアドレスバス２１４を利用し、ＲＦＩＤプリペイドカード５の操作を行うことができるＲＦＩＤチップ２３を電気的に連接する。しかも、該ＲＦＩＤチップ２３は該ＲＦＩＤプリペイドカード５と感応可能なセンサー２４と電気的に連接する。また、該マイクロプロセッサー２１にはデータ保存を行うことができるメモリ２５を連接し、該マイクロプロセッサー２１はさらに実際の時間を表示する時計２６を電気的に連接する。
【０００８】
本発明の実施例の作動フローチャート(一)である図３、作動フローチャート(二)である図４に示すように、該制御回路２の使用時のプロセス(ステップ100〜110)は以下の通りである。
(100)スタート。
(101)システムはダウンしていませんか？  もしダウンしているなら、ステップ102を行い、ダウンしていないなら、ステップ103を行う。
(102)モニタ装置２２はマイクロプロセッサー２１を再起動する。
(103)スタンバイ。
(104)センサー２４はＲＦＩＤプリペイドカード５を感知しましたか？  感知したなら、ステップ105を行い、感知していないなら、Ｘ(前後所定)位置からステップ103に入る。
(105)センサー２４とＲＦＩＤプリペイドカード５の通信連絡を確立する。ＲＦＩＤプリペイドカード５は復位しましたか？  復位したなら、ステップ106を行い、復位していないなら、Ｘ位置からステップ103に入る。
(106)センサー２４は複数のＲＦＩＤプリペイドカード５を感知しましたか？  感知したなら、Ｙ(左右所定)位置からステップ107に入り、感知していないなら、Ｚ(上下所定)位置からステップ108に入る。
(107)センサー２４は各ＲＦＩＤプリペイドカード５に対する通信でその序列信号を取得し、しかも１回に単一のＲＦＩＤプリペイドカード５に対してのみ操作を行い、次にステップ108を行うことができる。
(108)センサー２４は各ＲＦＩＤプリペイドカード５に対して選択操作を行い、該ＲＦＩＤプリペイドカード５はパスワードをセンサー２４に伝送し、正しいパスワードであるかどうかを検証する。正しいなら、ステップ109を行い、正しくないなら、Ｘ位置からステップ103に入る。
(109)マイクロプロセッサー２１はＲＦＩＤチップ２３を通してＲＦＩＤプリペイドカード５に対して読取り、書込み、入金、支払い、保存、伝送、或いは他の操作を行い、取り引き記録をメモリ２５に保存する。しかもディスプレー１４を通して現在の状態及び取り引き金額を表示する。
(110)時計２６は消費時間に対して計算を行い、結果をコンピュータ４に伝送し比較対照を行う。
【０００９】
上記ステップが示すように、該制御回路２のマイクロプロセッサー２１がＲＦＩＤチップ２３を制御し、センサー２４を通してＲＦＩＤプリペイドカード５に対して感応連絡を行う時、該センサー２４は該ＲＦＩＤプリペイドカード５に対して復位(REQUEST std)命令を発し、該ＲＦＩＤプリペイドカード５は反応復位(Answer To Request;ATR)機能を起動後、そのタグタイプ(Tag Type)センサー２４に伝送し、通信連絡を確立する。しかもセンサー２４はＲＦＩＤプリペイドカード５の序列番号、サイズ(size byte)を読み取ることができる。さらにパスワードに対して検証を行い、検証通過後、センサー２４はＲＦＩＤプリペイドカード５に対して選択操作を行うことができる。
【００１０】
該マイクロプロセッサー２１はＲＦＩＤチップ２３を通してＲＦＩＤプリペイドカード５に対して読取り、書込み、入金、支払い、保存、伝送、或いは他の操作を行う。
該マイクロプロセッサー２１はデータバス２１１、アドレスバス２１２、制御線２１３、データアドレスバス２１４を設置し、ＲＦＩＤチップ２３と電気的に連接するため、マイクロプロセッサー２１はＲＦＩＤチップ２３との間でデータ、アドレス、及び制御信号の伝送を行うことができる。
しかもマイクロプロセッサー２１はメモリを電気的に連接するため、該メモリ２５は該マイクロプロセッサー２１に取り引き記録の保存を提供する。
またマイクロプロセッサー２１は時計２６を電気的に連接するため、消費が開始されると、マイクロプロセッサー２１は時計２６を利用し消費が開始された時間をコンピュータ４に伝送し時間のカウントを行う。もし消費にかかる時間が過度に長ければ消費の取り消し、ＲＦＩＤプリペイドカード５の再感知、紙幣の退出或いは他の処理などの関連処理を行う。消費が終了すると、その時間をコンピュータ４に伝送し消費時間の長短の保存、記録を行う。
【００１１】
本発明の実施例の使用時のステップフローチャート(一)である図５に示すように、使用者がＲＦＩＤプリペイドカード５により操作を行おうとする時の使用プロセス(ステップ200〜214)は以下の通りである。
(200)使用者がＲＦＩＤプリペイドカード５を挿入する。
(201)ＲＦＩＤプリペイドカード５の残高を表示し、使用者は入金或いは消費を選択することができる。入金を選択するなら、ステップ202を行い、消費を選択するなら、ステップ20を行う。
(202)使用者は紙幣を投入し、続いてステップ203を行う。
(203)紙幣が有効であるかどうかを識別する。無効であるなら、ステップ204を行う。有効であるなら、ステップ205を行う。
(204)取り引きを完了し、紙幣を返却する。
(205)紙幣の額面を表示する。使用者は入金を選択しましたか？  選択しなかったなら、ステップ204を行う。入金を選択したなら、ステップ206を行う。
(206)入金が成功し、残高を表示し、続いてステップ207を行う。
(207)使用者は入金を継続するか選択する。継続するなら、ステップ２０２を行い、継続しないなら、ステップ２０８を行う。
(208)取り引き終了。カードを取り出す。
(209)残高を自動販売機に伝送し、ステップ２１０を行う。
(210)使用者は物品或いは取り引き終了を選択する。取り引き終了を選択するなら、ステップ２０８を行う。物品を選択するなら、ステップ２１１を行う。
(211)販売機は受け付けましたか？受け付けたなら、ステップ２１２を行い、受け付けなかったなら、ステップ２１０を行う。
(212)代金を引き落とし、さらにステップ２１３を行う。
(213)残高を表示する。
(214)取り引きを終了し、使用者は物品を取り出す。
【００１２】
本発明の実施例の使用時のステップフローチャート(二)である図６に示すように、使用者が紙幣により操作を行おうとする時の使用プロセス(ステップ300〜312)は以下の通りである。
(300)使用者は紙幣を挿入する。
(301)紙幣が有効であるかどうか、及びその額面を識別する。無効であるなら、ステップ３０２を行う。有効であるなら、ステップ３０３を行う。
(302)紙幣を返却する。
(303)金額を表示し、使用者は入金或いは消費を選択する。入金を選択するなら、ステップ３０４を行う。消費を選択するなら、ステップ３０８を行う。
(304)使用者はカードを挿入する。カードの残高を表示し、さらにステップ３０５を行う。
(305)使用者は入金を行うかどうかを選択し、入金しないなら、ステップ３０２を行い、入金するなら、ステップ３０６を行う。
(306)取り引き成功。カードの残高を表示し、さらにステップ３０７を行う。
(307)取り引き終了。使用者はカードを取り出す。
(308)額面を自動販売機に伝送する。
(309)自動販売機は受け付けましたか？  受け付けなかったなら、ステップ３０２を行い、受け付けたなら、ステップ３１０を行い、
(310)使用者は物品を選択する。
(311)代金を引き落とす。
(312)取り引きを終了し、物品を取り出し、代金を引き落とし後、余剰の硬貨或いは紙幣を取り出す。
【００１３】
本発明の実施例の立体外観図、ブロックチャート、使用時のステップフローチャート(一)、使用時のステップフローチャート(二)、側面断面図である図１、２、５、６、７に示すように、ＲＦＩＤプリペイドカード５を使用する時には、ＲＦＩＤプリペイドカード５をパネル１の感知部１１に近づける。この時、制御回路２のマイクロプロセッサー２１はＲＦＩＤチップ２３、センサー２４を通して、該ＲＦＩＤプリペイドカード５に対して感知、通信、認証を行う。カードが有効であれば、マイクロプロセッサー２１はディスプレー１４を利用し該ＲＦＩＤプリペイドカード５内の残高を表示する。次に使用者はパネル１上のボタン部１３を利用し、行おうとする処理作業を押して選択する。
【００１４】
入金を選択するなら、パネル１上の紙幣投入口１２より紙幣を投入する。該紙幣は通道１２１を経由しＣＰＵ３内部に入り、該ＣＰＵ３の通道３１、ローラー３２を利用し連動し、紙幣の真偽と金額を識別する。本物の紙幣であるなら該制御回路２のマイクロプロセッサー２１は該制御回路２のＲＦＩＤチップ２３、センサー２４を通して、該ＲＦＩＤプリペイドカード５に対して入金情報を入力する。
消費を選択するなら、マイクロプロセッサー２１は自動販売機と連接し、ＲＦＩＤプリペイドカード５内の現在の残高を通知する。しかも、自動販売機は取り引き処理の完了後、さらに残高をマイクロプロセッサー２１に伝送し、該マイクロプロセッサー２１は残高をディスプレー１４に表示する。しかもＲＦＩＤチップ２３、センサー２４を通してＲＦＩＤプリペイドカード５に対して代金引き落とし操作を行う。
取り引き終了を選択するなら、マイクロプロセッサー２１はディスプレー１４を通して情報を表示し、使用者に通知し、使用者はＲＦＩＤプリペイドカード５を取り出す。
紙幣を使用する時にも、入金或いは消費を選択することができる。入金を選択するなら、上記の入金作業を行い、消費を選択するなら、紙幣の額面を自動販売機に伝送し、自動販売機はその情報を受け取り後、物品選択及び代金引き落としを行う。取り引きが完了すると、使用者は物品及び代引後余剰の紙幣或いは硬貨を取り出す。
【００１５】
上記ＣＰＵ３は通道３１、ローラー３２を利用し、紙幣を輸送後、紙幣に対して文字、図案の識別或いは紙幣上に設置される偽造防止標記の識別をそれぞれ行い、紙幣の額面と真偽を判断することができ、しかも、本物の紙幣に対して保存を行うことができる。しかし、輸送、紙幣真偽の識別、保存の方式は公知の技術であり、しかも細部構成は本発明の要点ではないため、ここでは詳述しない。
【００１６】
さらに、本発明の実施例の立体外観図、ブロックチャート、側面断面図である図１、２、７に示すように、該ＣＰＵ３の片側にはパネル１を設置する。
該パネル１上には感知部１１、紙幣投入口１２を設置し、しかも該パネル１内にはＲＦＩＤプリペイドカード５に対して感応及び操作が可能な制御回路２を設置する。該制御回路２により該パネル１はＲＦＩＤプリペイドカード５のアクセスしようが可能である他、紙幣を挿入しＲＦＩＤプリペイドカード５に入金することもできる。
元々は２台の分離式装置で行っていた紙幣投入とＲＦＩＤプリペイドカード５感知を単一のＣＰＵ３で行うようにしたため、ＣＰＵ３の体積を確実に縮小することができる。こうしてＣＰＵ３の設置使用において、占拠する空間を縮減できるため、駅、商店などの狭い場所にＣＰＵ３を設置する時にも、空間節減の効果を発揮することができる。
この他、本発明のＣＰＵ３は自動販売機に連接することができ、ＲＦＩＤプリペイドカード５が有効なカードであると認証されると、ＲＦＩＤプリペイドカード５内に入金されている残高を利用し直接取り引きを行うことができ、或いは先ず紙幣を利用しＲＦＩＤプリペイドカード５に入金し、さらに取り引きを行うことができ、また紙幣を投入し直接取り引きを行うこともできる。このように、元々は紙幣挿入或いは紙幣による取り引きしか行うことができなかった自動販売機が、ＲＦＩＤプリペイドカード５を利用し感知することで、取り引き可能となる。
【００１７】
一般の自動販売機は体積が膨大でありながら、内部には販売物品を収納するための十分な空間を確保する必要があるため、自動販売機内において利用可能な空間は限られている。
一方、駅などで現在見受けられるＲＦＩＤプリペイドカード５のバリューチャージャーは、ＲＦＩＤプリペイドカード５の感知と紙幣投入が２つに分離した装置であるため、バリューチャージャーの体積を非常に大きくしており、ＲＦＩＤプリペイドカード５バリューチャージャーを自動販売機内に設置することはできなかった。２台の装置を設置すれば、大きく空間を占拠してしまう。
しかし、本発明はＲＦＩＤプリペイドカード５感知入金と紙幣投入を一台に統合したため、その体積を大幅に縮小し、空間節減の目的を達成することができる。
また、ＲＦＩＤプリペイドカード５は現在は特定の地点でしか入金できないという欠点があるが、本発明はこれを解決し、ＲＦＩＤプリペイドカード５使用或いは入金の利便性を向上させた。本発明により、使用者は現金を持ち歩く必要がなくなり、ＲＦＩＤプリペイドカード５使用時の利便性を高めることができる。
しかも、ＲＦＩＤプリペイドカード５の感知入金と自動販売機は共に、紙幣受け取り、鑑定機能を設置する必要があるが、本発明のＣＰＵ３は単一の紙幣受け取り、鑑定装置を設置するだけで、共用することができるため、体積を縮小し空間を節減すると同時に、製造コストを低下させる目的をも達成することができる。
【００１８】
さらに、パネル１上には発声部１５を設置することができる。これにより使用者がパネル１を操作すると、該発声部１５は操作に対応した情報音声を発し、使用者に提示する目的を達成する。その情報音声は警告音、所定の音声の他に、ＢＧＭなどの所定のサウンドオーディオをすることができ、使用者により快適で便利な操作環境を提供する。
該パネル１上には、押して操作することができるボタン部１３と情報を表示するディスプレー１４をそれぞれ設置することができる他、さらには該パネル１上に情報を表示し、接触し操作するタッチパネル式スクリーンを設置することもできる。
それは、使用中の各種情報を表示し、操作しようとする項目を選択可能とするだけで、本発明の特許範囲を限定するものではない。他の修飾及び同等効果変化の利用も、本発明の特許範囲に含まれるものとする。
【００１９】
本発明の立体外観図、最適の実施例(一)の立体外観図、最適実施例(二)の立体外観図である図１、８、９に示すように、該パネル１は片側に垂直面状或いは平台状の感知部１１を設置することができる。
また該パネル１上には前方に向かい垂直に延伸する紙幣投入口１２を設置することができる。該紙幣投入口１２周囲には感知部１１を設置するため、ＲＦＩＤプリペイドカード５が該紙幣投入口１２を通過する時、感知を行うことができる。
該ボタン部１３は該ディスプレー１４の上、下、左、或いは右側に位置することができ、これにより該パネル１はＲＦＩＤプリペイドカード５感知、挿入紙幣、ボタンの押し操作、情報表示の機能を備えることができる。
該感知部１１、該紙幣投入口１２、該ボタン部１３、該ディスプレー１４の該パネル１上での位置は変換が可能であり、本発明の特許範囲を限定するものではなく、他の修飾及び同等効果構造を利用する変化もすべて本発明の特許範囲に含まれるものとする。
【００２０】
上記のように本発明ＲＦＩＤ機能を備えた紙幣受領機は実際の使用時に、以下の各長所を備える。
１．該ＣＰＵ３片側のパネル１上にはＲＦＩＤプリペイドカード５を感知する感知部１１を設置し、しかも該ＣＰＵ３内部にはＲＦＩＤプリペイドカード５に対して操作、読み出し書込みを行うことができる制御回路２を設置し、該パネル１上には紙幣を受け取り、識別することができる紙幣投入口１２を設置するため、ＣＰＵ３は紙幣の投入を受け取り、ＲＦＩＤプリペイドカード５を感知使用することができ、さらにＲＦＩＤプリペイドカード５に対して入金を行うことができる。よって、元々は紙幣受け取りとＲＦＩＤプリペイドカード５の感知入金の２台の装置を設置する必要があった空間にはＣＰＵ３だけを設置すれば良くなり、ＣＰＵ３の体積は２台の装置より小さいため、空間節減の目的を達成することができる。
２．該パネル１には感知部１１を設置し、しかもＣＰＵ３内部にはＲＦＩＤプリペイドカード５に対して感知入金を行うことができる制御回路２を設置する。元々は２台の装置上にそれぞれ紙幣受け取り、鑑定装置を設置する必要があったが、本発明のＣＰＵ３はＲＦＩＤプリペイドカード５の感知入金或いは自動販売機取り引きを行う時、紙幣受け取り、鑑定装置を共用することができるため、ＣＰＵ３が設置する必要のある構成部品を減少させる目的を達成し、こうして本発明の製造コストを低下させることができる。
【００２１】
本発明は、主にＲＦＩＤ機能を備えた紙幣受領機において、ＣＰＵ３片側のパネル１上にＲＦＩＤプリペイドカード５を感知する感知部１１と紙幣を受け取る紙幣投入口１２を設置し、しかもパネル１上にも押して操作するボタン部１３を設置し、さらにＣＰＵ３内にはＲＦＩＤプリペイドカード５を操作し、データ処理を行うことができる制御回路２を設置する。これにより単一のＣＰＵ３は挿入紙幣を受け取り、或いはＲＦＩＤプリペイドカード５を感知し消費を行うことができ、挿入された紙幣によるＲＦＩＤプリペイドカード５の入金作業を行うこともできる。該ＣＰＵ３はＲＦＩＤプリペイドカード５感知入金と紙幣投入機能を統合することで、体積の縮小に成功し、空間節減の長所を備えることが、本発明の最も特徴とする１つである。
但し、上記は本発明の実施例に過ぎず本発明を限定するものではない。本発明の説明書及び図式内容を運用し行う簡易修飾と同等効果の構造変化はすべて、同一原理として本発明の特許範囲に含まれるものとする。
【図面の簡単な説明】
【００２２】
【図１】本発明の立体外観図である。
【図２】本発明のブロックチャートである。
【図３】本発明の作動フローチャート(一)である。
【図４】本発明の作動フローチャート(二)である。
【図５】本発明の使用時のステップフローチャート(一)である。
【図６】本発明の使用時のステップフローチャート(二)である。
【図７】本発明の側面断面図である。
【図８】本発明の最適実施例(一)の立体外観図である。
【図９】本発明の最適実施例(二)の立体外観図である。
【符号の説明】
【００２３】
１  パネル
１１  感知部
１２  紙幣投入口
１２１  通道
１３  ボタン部
１４  ディスプレー
１５  発声部
２  制御回路
２１  マイクロプロセッサー
２１１  データバス
２１２  アドレスバス
２１３  制御線
２１４  データアドレスバス
２２  モニタ装置
２３  ＲＦＩＤチップ
２４  センサー
２５  メモリ
２６  時計
３  ＣＰＵ
３１  通道
３２  ローラー
４  コンピュータ
５  ＲＦＩＤプリペイドカード
【図１】
2009163381.tif 000003
【図２】
2009163381.tif 000004
【図３】
2009163381.tif 000005
【図４】
2009163381.tif 000006
【図５】
2009163381.tif 000007
【図６】
2009163381.tif 000008
【図７】
2009163381.tif 000009
【図８】
2009163381.tif 000010
【図９】
2009163381.tif 000011